【事件の表示】
　特許第３１３５３２３号「記録装置の状態表示方法、及びシステム」の請求項１ないし１４に係る特許に対する特許異議の申立てについて、次のとおり決定する。
【結　論】
　訂正を認める。
　特許第３１３５３２３号の請求項１ないし１２に係る特許を維持する。
【理　由】
１．手続の経緯
　本件特許第３１３５２３号は、平成３年１２月１９日に出願され平成１２年１２月１日に設定登録され、これに対して、特許異議の申立てが、渡辺等よりなされ、取消の理由が通知され、その指定期間内である平成１４年１月７日に訂正請求がなされた後、訂正拒絶理由が通知され、平成１４年４月１日に手続補正書が提出されたものである。
　
２．訂正の適否についての判断
　ア．訂正請求に対する補正の適否について
　特許権者のした補正は、以下のとおりのものである。
（１）
Ｉ．（補正書においては、丸数字、以下、同様。）訂正請求書第５頁第２８行乃至第６頁第２０行記載の訂正事項ｊの記載を削除する。
ＩＩ．訂正請求書中の訂正の原因について、訂正事項ｊの削除に合わせて、訂正請求書第１１頁第２８行〜第１２頁第２３行の記載を削除する。
ＩＩＩ．訂正事項ｊの削除に合わせて、全文訂正明細書中の特許請求の範囲に記載の請求項１７を削除する。
（２）
Ｉ．訂正請求書第６頁第２１行乃至第７頁第９行記載の訂正事項ｋの記載を削除する。
ＩＩ．訂正請求書中の訂正の原因について、訂正事項ｋの削除に合わせて、訂正請求書第１２第２４行〜第１３頁第６行の記載を削除する。
ＩＩＩ．訂正事項ｋの削除に合わせて、全文訂正明細書中の特許請求の範囲に記載の請求項１８を削除する。
（３）
Ｉ．訂正請求書第７頁第１０行「１２（丸数字）訂正事項１」を、上記訂正事項ｊ、ｋの削除に合わせて整合を図るため、「訂正事項１」に付した丸付数字の番号を繰り上げるべく、「１０（丸数字）訂正事項１」と補正する。
ＩＩ．訂正請求書第１３頁第７行「１２（丸数字）訂正事項１について」を、上記訂正事項ｊ、ｋの削除に合わせて整合を図るため、「訂正事項１」に付した丸付数字の番号を繰り上げるべく、「１０（丸数字）訂正事項１について」と補正する。
（４）
Ｉ．訂正請求書の訂正事項１について、上記訂正事項ｊ、ｋの削除に合わせて整合を図るため、訂正請求書第８頁第１１行「記ホスト装置の表示部に表示することを特徴とする。」を、『記ホスト装置の表示部に表示することを特徴とする。」』と補正するとともに、訂正請求書第８頁第１２行〜第９頁第９行の記載を削除する。
ＩＩ．全文訂正明細書中の第６頁第６〜３３行の記載を削除する。
　該補正を検討するに、いずれも請求項の削除とそれに伴う訂正事項番号の繰り上げ及び誤記の訂正を行うものであり、、当該訂正請求書に対する補正は、訂正請求書の要旨を変更するものではなく、特許法第１２０条の４第３項において準用する同法第１３１条第２項の規定に適合する。
　　イ．訂正の内容
　訂正事項ａ
　特許請求の範囲の請求項１を以下のように訂正する。
「【請求項１】表示部と制御部とからなるホスト装置と、該ホスト装置と信号線により接続されて、前記ホスト装置から前記信号線を介して転送されるデータに基づいてインクを吐出して記録を行う記録装置とにより、記録装置の状態を表示する状態表示方法において、前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、前記記録装置により、前記ホスト装置から送られた前記要求信号により要求される前記情報の種類を解析する工程と、前記記録装置により、前記要求信号を解析した結果に基づいて、前記要求信号により要求される前記情報を、前記信号線を介して前記ホスト装置へ送る工程と、前記ホスト装置により、前記記録装置から送られた前記情報を、前記ホスト装置の前記表示部に表示する表示工程と、からなり、前記ホスト装置は、前記要求信号を前記記録装置へ送るタイミングに応じて、前記要求信号により要求する情報の種類を異ならせることを特徴とする状態表示方法。」
　
　訂正事項ｂ
　特許請求の範囲の請求項２を以下のように訂正する。
「【請求項２】前記プリント装置は、記録に用いるインクを収容するインクタンク内のインク残量を検出可能に構成され、
前記ホスト装置は、所定のタイミングにおいて、前記インク残量の情報を要求する信号を前記記録装置へ送るとともに、前記プリント装置から送られた前記インク残量の情報を、前記ホスト装置の前記表示部に表示することを特徴とする請求項１に記載の状態表示方法。」
　
　訂正事項ｃ
　特許請求の範囲の請求項６を削除する。
　
　訂正事項ｄ
　　特許請求の範囲の請求項７を請求項６に訂正するとともに、以下のように訂正する。
「【請求項６】前記表示工程において、前記表示部へ表示するか否かは、ユーザーの指示に基づいて制御されることを特徴とする請求項１乃至５のいずれかに記載の状態表示方法。」
　
　訂正事項ｅ
　請求項８を請求項７に訂正するとともに、以下のように訂正する。
「【請求項７】表示部と制御部とからなるホスト装置と、該ホスト装置と信号線により接続されて、前記ホスト装置から前記信号線を介して転送されるデータに基づいてインクを吐出して記録を行う記録装置とからなるシステムにおいて、前記ホスト装置は、所定のタイミングにおいて、前記記録装置の状態に関する情報の転送を要求する要求信号であって、要求する前記情報の種類に対応した要求信号を、前記信号線を介して前記記録装置に対して送る手段と、前記記録装置から前記信号線を介して送られた情報を前記表示部に表示する表示手段とを有し、前記記録装置は、前記ホスト装置から送られた前記要求信号により要求される前記情報の種類を解析する手段と、前記要求信号を解析した結果に基づいて、前記要求信号により要求される前記情報を、前記信号線を介して前記ホスト装置へ送る手段とを有し、前記ホスト装置は、前記要求信号を前記記録装置へ送るタイミングに応じて、前記要求信号により要求する情報の種類を異ならせるとともに、前記記録装置の状態を、前記ホスト装置の表示部に表示することを特徴とするシステム。」
　
　訂正事項ｆ
　請求項９乃至１２を以下の請求項８乃至１１に訂正する。
「【請求項８】前記プリント装置は、インクを吐出する記録ヘッドと、インクを収容するインクタンクと、前記インクのインク残量を記憶するメモリとを有し、前記解析手段による解析結果に基づいて、前記要求信号が前記インク残量の情報を要求する信号であるとき、前記メモリの情報を参照して前記ホスト装置へ送ることを特徴とする請求項７に記載のシステム。
【請求項９】前記プリント装置の前記インクタンクは、前記記録ヘッドと一体に構成されることを特徴とする請求項８に記載のシステム。
【請求項１０】前記プリント装置の前記インクタンクは、前記記録ヘッドと分離可能に交換できることを特徴とする請求項８に記載のシステム。
【請求項１１】前記記録ヘッドは、熱エネルギーを発生する電気熱変換体を備え、前記熱エネルギーによりインク中に気泡を生じさせてインクを吐出することを特徴とする請求項８乃至１０のいずれかに記載のシステム。」
　
　訂正事項ｇ
　特許請求の範囲の請求項１３を削除する。
　
　訂正事項ｈ
　請求項１４を以下の請求項１２に訂正する。
「【請求項１２】前記記録装置の状態を前記表示部へ表示するか否かは、ユーザーの指示に基づいて制御されることを特徴とする請求項７乃至１１のいずれかに記載のシステム。」　
　訂正事項ｉ
　訂正前の請求項１５乃至１８を、以下の請求項１３乃至１６に訂正する。
「【請求項１３】制御プログラムに応じた処理を行う制御系を備えたプリンタ部と、制御プログラムに応じた処理を行う制御系と表示を行う表示手段とを備えたホスト部とを有するシステムにおいて、前記プリンタ部と前記ホスト部とに接続され、前記プリンタ部の制御系と前記ホスト部の制御系とにより共有して情報の記憶と参照が可能なメモリを有し、前記プリンタ部の制御系は、所定のタイミングにおいて前記メモリの所定のアドレスに前記プリンタ部の情報を記憶させるとともに、前記ホスト部の制御系は、前記メモリの所定のアドレスに記憶された情報を参照して、前記表示手段への表示を行うよう制御することを特徴とするシステム。
【請求項１４】前記プリンタ部は、インクを吐出する記録ヘッドと、インクを収容するインクタンクと、を有し、前記インクタンクは、前記記録ヘッドと一体に構成されることを特徴とする請求項１３に記載のシステム。
【請求項１５】前記プリント装置は、インクを吐出する記録ヘッドと、インクを収容するインクタンクと、を有し、前記インクタンクは、前記記録ヘッドと分離可能に交換できることを特徴とする請求項１３に記載のシステム。
【請求項１６】前記記録ヘッドは、熱エネルギーを発生する電気熱変換体を備え、前記熱エネルギーによりインク中に気泡を生じさせてインクを吐出することを特徴とする請求項１４または１５に記載のシステム。」
　
　訂正事項ｊ
　上記請求項の訂正に伴い明細書の段落【０００８】を以下のとおり訂正する。
「【０００８】
【課題を解決するための手段】
　本発明は、前述の目的を達成するためになされたもので、表示部と制御部とからなるホスト装置と、該ホスト装置と信号線により接続されて、前記ホスト装置から前記信号線を介して転送されるデータに基づいてインクを吐出して記録を行う記録装置とにより、記録装置の状態を表示する状態表示方法において、前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、前記記録装置により、前記ホスト装置から送られた前記要求信号により要求される前記情報の種類を解析する工程と、前記記録装置により、前記要求信号を解析した結果に基づいて、前記要求信号により要求される前記情報を、前記信号線を介して前記ホスト装置へ送る工程と、前記ホスト装置により、前記記録装置から送られた前記情報を、前記ホスト装置の前記表示部に表示する表示工程と、からなり、前記ホスト装置は、前記要求信号を前記記録装置へ送るタイミングに応じて、前記要求信号により要求する情報の種類を異ならせるることを特徴とする。また、本発明は、表示部と制御部とからなるホスト装置と、該ホスト装置と信号線により接続されて、前記ホスト装置から前記信号線を介して転送されるデータに基づいてインクを吐出して記録を行う記録装置とからなるシステムにおいて、前記ホスト装置は、所定のタイミングにおいて、前記記録装置の状態に関する情報の転送を要求する要求信号であって、要求する前記情報の種類に対応した要求信号を、前記信号線を介して前記記録装置に対して送る手段と、前記記録装置から前記信号線を介して送られた情報を前記表示部に表示する表示手段とを有し、前記記録装置は、前記ホスト装置から送られた前記要求信号により要求される前記情報の種類を解析すら手段と、前記要求信号を解析した結果に基づいて、前記要求信号により要求される前記情報を、前記信号線を介して前記ホスト装置へ送る手段とを有し、前記ホスト装置は、前記要求信号を前記記録装置へ送るタイミングに応じて、前記要求信号により要求する情報の種類を異ならせるとともに、前記記録装置の状態を、前記ホスト装置の表示部に表示することを特徴とする。」
　
　ウ．訂正の目的の適否、新規事項の有無及び拡張・変更の存否
　（１）訂正事項ａ：該訂正は、願書に最初に添付した明細書の請求項６に記載された技術的事項を請求項１に付加するものであるから、特許請求の範囲の減縮を目的とするものであって、新規事項の追加に該当せず、また、実質上特許請求の範囲を拡張し、または変更するものでもない。
　（２）訂正事項ｂ：該訂正は、請求項２の「状態表示方法」を請求項１を引用するものとするものであり、明らかな誤記の訂正を目的とするものであって、新規事項の追加に該当せず、また、実質上特許請求の範囲を拡張し、または変更するものでもない。
　（３）訂正事項ｃ：該訂正は、願書に最初に添付した明細書の請求項６を削除するものであり、新規事項の追加に該当せず、また、実質上特許請求の範囲を拡張し、または変更するものでもない。
　（４）訂正事項ｄ：該訂正は、訂正事項ｃにより請求項６が削除されたことに伴い 、願書に最初に添付した明細書の請求項７の項番号を６とし、引用する請求項を１乃至６から１乃至５と訂正するものであり、不明瞭な記載の釈明を行うもので、新規事項の追加に該当せず、また、実質上特許請求の範囲を拡張し、または変更するものでもない。
　（５）訂正事項ｅ：該訂正は、訂正事項ｃにより請求項６が削除されたことに伴い、願書に最初に添付した明細書の請求項８の項番号を７とし、願書に最初に添付した明細書の請求項６に記載された技術的事項を付加するものであるから、不明瞭な記載の釈明及び特許請求の範囲の減縮を目的とするものであって、新規事項の追加に該当せず、また、実質上特許請求の範囲を拡張し、または変更するものでもない。
　（６）訂正事項ｆ：該訂正は、訂正事項ｃにより請求項６が削除されたことに伴い、願書に最初に添付した明細書の請求項９乃至１２の項番号を８乃至１１に訂正するものであって、不明瞭な記載の釈明を行うもので、新規事項の追加に該当せず、また、実質上特許請求の範囲を拡張し、または変更するものでもない。
　（７）訂正事項ｇ：該訂正は、願書に最初に添付した明細書の請求項１３を削除するものであり、新規事項の追加に該当せず、また、実質上特許請求の範囲を拡張し、または変更するものでもない。
　（８）訂正事項ｈ：該訂正は、訂正事項ｃ及びｇに夜請求項の削除に伴い項番号を１４から１２に訂正し、引用する請求項を８乃至１３から７乃至１１に訂正するものであって、不明瞭な記載の釈明を行うもので、新規事項の追加に該当せず、また、実質上特許請求の範囲を拡張し、または変更するものでもない。
　（９）訂正事項ｉ：該訂正は、訂正事項ｃ及びｇに夜請求項の削除に伴い項番号を１５乃至１８から１３乃至１６に訂正し、請求項１４乃至１６において引用する請求項を訂正するものであって、不明瞭な記載の釈明を行うもので、新規事項の追加に該当せず、また、実質上特許請求の範囲を拡張し、または変更するものでもない。
　（１０）訂正事項ｊ：該訂正は、特許請求の範囲の請求項１及び７の記載に適合させるため、明細書の段落【０００８】において、「前記ホスト装置は、前記要求信号を前記記録装置へ送るタイミングに応じて、前記要求信号により要求する情報の種類を異ならせる」旨の限定を付加するものであるが、当該記載は、願書に最初に添付した明細書の段落【００３９】乃至【００４４】に記載された事項であり、不明瞭な記載の釈明を行うもので、新規事項の追加に該当せず、また、実質上特許請求の範囲を拡張し、または変更するものでもない。
　エ．むすび
　以上のとおりであるから、上記訂正は、特許法第１２０条の４第２項及び同条第第３項において準用する第１２６条第２及び第３項の規定に適合するので、当該訂正を認める。
　
３．本件発明
　本件特許の請求項１乃至１６に係る発明（以下、「本件発明１」乃至「本件発明１６」という。）は、明細書及び図面からみてその特許請求の範囲の請求項１乃至１６に記載された次のとおりのものである。
【請求項１】表示部と制御部とからなるホスト装置と、該ホスト装置と信号線により接続されて、前記ホスト装置から前記信号線を介して転送されるデータに基づいてインクを吐出して記録を行う記録装置とにより、記録装置の状態を表示する状態表示方法において、前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、前記記録装置により、前記ホスト装置から送られた前記要求信号により要求される前記情報の種類を解析する工程と、前記記録装置により、前記要求信号を解析した結果に基づいて、前記要求信号により要求される前記情報を、前記信号線を介して前記ホスト装置へ送る工程と、前記ホスト装置により、前記記録装置から送られた前記情報を、前記ホスト装置の前記表示部に表示する表示工程と、からなり、前記ホスト装置は、前記要求信号を前記記録装置へ送るタイミングに応じて、前記要求信号により要求する情報の種類を異ならせることを特徴とする状態表示方法。
【請求項２】前記プリント装置は、記録に用いるインクを収容するインクタンク内のインク残量を検出可能に構成され、前記ホスト装置は、所定のタイミングにおいて、前記インク残量の情報を要求する信号を前記記録装置へ送るとともに、前記プリント装置から送られた前記インク残量の情報を、前記ホスト装置の前記表示部に表示することを特徴とする請求項１に記載の状態表示方法。
【請求項３】前記プリント装置は、前記インク残量を前記プリント装置内のメモリに記憶するとともに、前記ホスト装置から送られた前記要求信号が前記インク残量の情報を要求する信号であるとき、前記メモリの情報を参照して前記ホスト装置へ送ることを特徴とする請求項２に記載の状態表示方法。
【請求項４】前記プリント装置に用いられる前記インクタンクは、インクを吐出する記録ヘッドと一体に構成されることを特徴とする請求項２または３に記載の状態表示方法。
【請求項５】前記プリント装置に用いられる前記インクタンクは、インクを吐出する記録ヘッドと分離可能に交換できることを特徴とする請求項２または３に記載の状態表示方法。
【請求項６】前記表示工程において、前記表示部へ表示するか否かは、ユ一ザ一の指示に基づいて制御されることを特徴とする請求項１乃至５のいずれかに記載の状態表示方法。
【請求項７】表示部と制御部とからなるホスト装置と、該ホスト装置と信号線により接続されて、前記ホスト装置から前記信号線を介して転送されるデータに基づいてインクを吐出して記録を行う記録装置とからなるシステムにおいて、前記ホスト装置は、所定のタイミングにおいて、前記記録装置の状態に関する情報の転送を要求する要求信号であって、要求する前記情報の種類に対応した要求信号を、前記信号線を介して前記記録装置に対して送る手段と、前記記録装置から前記信号線を介して送られた情報を前記表示部に表示する表示手段とを有し、前記記録装置は、前記ホスト装置から送られた前記要求信号により要求される前記情報の種類を解析する手段と、前記要求信号を解析した結果に基づいて、前記要求信号により要求される前記情報を、前記信号線を介して前記ホスト装置へ送る手段とを有し、前記ホスト装置は、前記要求信号を前記記録装置へ送るタイミングに応じて、前記要求信号により要求する情報の種類を異ならせるとともに、前記記録装置の状態を、前記ホスト装置の表示部に表示することを特徴とするシステム。
【請求項８】前記プリント装置は、インクを吐出する記録ヘッドと、インクを収容するインクタンクと、前記インクのインク残量を記憶するメモリとを有し、前記解析手段による解析結果に基づいて、前記要求信号が前記インク残量の情報を要求する信号であるとき、前記メモリの情報を参照して前記ホスト装置へ送ることを特徴とする請求項７に記載のシステム。
【請求項９】前記プリント装置の前記インクタンクは、前記記録ヘッドの一体に構成されることを特徴とする請求項８に記載のシステム。
【請求項１０】前記プリント装置の前記インクタンクは、前記記録ヘッドと分離可能に交換できることを特徴とする請求項８に記載のシステム。
【請求項１１】前記記録ヘッドは、熱エネルギーを発生する電気熱変換体を備え、前記熱エネルギーによりインク中に気泡を生じさせてインクを吐出することを特徴とする請求項８乃至１０のいずれかに記載のシステム。
【請求項１２】前記記録装置の状態を前記表示部へ表示するか否かは、ユーザーの指示に基づいて制御されることを特徴とする請求項７乃至１１のいずれかに記載のシステム。
【請求項１３】制御プログラムに応じた処理を行う制御系を備えたプリンタ部と、制御プログラムに応じた処理を行う制御系と表示を行う表示手段とを備えたホスト部とを有するシステムにおいて、前記プリンタ部と前記ホスト部とに接続され、前記プリンタ部の制御系と前記ホスト部の制御系とにより共有して情報の記憶と参照が可能なメモリを有し、
前記プリンタ部の制御系は、所定のタイミングにおいて前記メモリの所定のアドレスに前記プリンタ部の情報を記憶させるとともに、前記ホスト部の制御系は、前記メモリの所定のアドレスに記憶された情報を参照して、前記表示手段への表示を行うよう制御することを特徴とするシステム。
【請求項１４】前記プリンタ部は、インクを吐出する記録ヘッドと、インクを収容するインクタンクと、を有し、前記インクタンクは、前記記録ヘッドと一体に構成されることを特徴とする請求項１３に記載のシステム。
【請求項１５】前記プリント装置は、インクを吐出する記録ヘッドと、インクを収容するインクタンクと、を有し、前記インクタンクは、前記記録ヘッドと分離可能に交換できることを特徴とする請求項１３に記載のシステム。
【請求項１６】前記記録ヘッドは、熱エネルギーを発生する電気熱変換体を備え、前記熱エネルギーによりインク中に気泡を生じさせてインクを吐出することを特徴とする請求項１４または１５に記載のシステム。
　
４．引用例
　特許異議申立人渡辺努の提出したそれぞれ本件出願前に頒布された甲第１号証（特開昭５８−１４７５０２号公報、以下、引用例１という。）、甲第２号証（特開平２−１８４８７６号公報、以下、引用例２という。）及び甲第６号証（特開平３−２２７６５３号公報、以下、引用例３という。）には、下記の点が記載されている。
引用例１
ａ．「プリンタにデータを送信するデータ管理装置と、このデータ管理装置からのデータを受信し印字するプリンタからなるプリンタ制御装置において、前記データ管理装置は、前記プリンタにそのプリンタの動作状態を示す表示用ステータスの送信を要求する信号を一定時間間隔で送信する送信要求手段と、表示器と、送信要求によって前記プリンタから表示用ステータスを受信するとその信号内容を前記表示器に表示させる表示制御手段を設け、前記プリンタは、前記データ管理装置から表示用ステータスの送信要求があると自己の動作状態を示す表示用ステータスを前記データ管理装置に送信するステータス通信手段を設けたことを特徴とするプリンタ制御装置。」（公報、第１頁特許請求の範囲、請求項１の記載。）
引用例２
ｂ．「外部機器から送られる印刷情報に基づいて印刷をする印刷装置において、消耗品の残量について複数レベルを検出する検出手段と、外部機器からの指示により、前記検出したレベルの情報を外部機器に出力する手段を備えることを特徴とする印刷装置。」（公報、第１頁特許請求の範囲の記載。）
ｃ．「この種の印刷装置には・・・インクジェットプリンタ・・等各種のものがある。」（公報、第１頁右下欄第７乃至９行。）
ｄ．以上により、外部機器からの印刷データ及び各種命令データはインターフェース４を介してＣＰＵ１に入力される。ＣＰＵ１は、印刷データはＲＡＭ３に格納し、命令データはこれを解析して対応する処理を行う。例えば、外部機器からトナー残量報告の命令があると、検出データ・・・をインターフェィス４を介して外部機器に送る。（公報、第３頁左下欄第１５行乃至右下欄第５行。）
引用例３
ｅ．「従来のインクジェット記録装置では、所定量のインクを収容したインクカートリッジを交換してインクを補充する方式のものが一般的である。しかし、インクジェット記録ヘッド自体が廉価で得られるような記録装置の場合には、インクを収容するインクタンクとヘッドとを一体化したヘッド・インクタンク一体型のカートリッジがしばしば採用されてきた。こうした記録装置では、インクタンクと記録ヘッドとを一体化することにより、・・・」（公報、第２頁右下欄第８乃至１６行。）
ｆ．記録ヘッド部材は、熱エネルギーを利用してインクを吐出するための電気熱変換体を備え・・・インクジェット記録装置。（公報、第２頁特許請求の範囲請求項８の記載。）
　
５．対比・判断
　本件発明に対してなされた特許異議申立人渡辺努の異議申立は、特許請求の範囲の請求項１乃至１４項（訂正後の特許請求の範囲の請求項１乃至１２項。）に対してのものであるから、当該請求項に対し異議申立の理由につき対比・判断する。
５−１．本件発明１
　引用例１に記載された「データ管理装置」、「プリンタ」、「プリンタの動作状態を示す表示用ステータス」及び「一定時間間隔」は、それぞれ本件発明１の「ホスト装置」、「記録装置」、「記録装置の状態に関する情報」及び「所定のタイミング」に相当する。
　また、引用例１に記載されたものにおいても「データ管理装置は、前記プリンタにそのプリンタの動作状態を示す表示用ステータスの送信を要求する信号を一定時間間隔で送信する送信要求手段と、表示器と、送信要求によって前記プリンタから表示用ステータスを受信するとその信号内容を前記表示器に表示させる表示制御手段を設け、前記プリンタは、前記データ管理装置から表示用ステータスの送信要求があると自己の動作状態を示す表示用ステータスを前記データ管理装置に送信する」ものであり、データ管理装置において表示用ステータスをこの後表示するものであるところから、両者は、「表示部と制御部とからなるホスト装置と、該ホスト装置と信号線により接続されて、前記ホスト装置から前記信号線を介して転送されるデータに基づいて記録を行う記録装置とにより、記録装置の状態を表示する状態表示方法において、前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、前記記録装置により、前記要求信号により要求される前記情報を、前記信号線を介して前記ホスト装置へ送る工程と、前記ホスト装置により、前記記録装置から送られた前記情報を、前記ホスト装置の前記表示部に表示する表示工程と、からなる状態表示方法。」である点で一致し、本件発明１において「記録装置は、前記ホスト装置から送られた前記要求信号により要求される前記情報の種類を解析する工程」を備え、「前記ホスト装置は、前記要求信号を前記記録装置へ送るタイミングに応じて、前記要求信号により要求する情報の種類を異ならせる」のに対し、引用例１には、この点につき特段の記載がない点と記録装置が本件発明１においては「インクを吐出」して記録するものであるのに対し、引用例１のものはそうではない点とで相違する。
　引用例２の記載ｄにも示されているように、ホストからの命令がなんであるのかを解析して所与の処理を行うことは、本件出願前公知の技術であり、また、「インクを吐出」して記録する記録装置は、引用例２の記載ｃ及び引用例３の記載ｅからみて本件出願前慣用されたものであっても、「前記ホスト装置は、前記要求信号を前記記録装置へ送るタイミングに応じて、前記要求信号により要求する情報の種類を異ならせる」点については、いずれの引用例にも記載若しくは示唆する記載がない。
　かかる相違点により、本件発明１は、「プリンター側の状況を明示する必要のある項目が多数存在するインクヘッド・タンク交換型のインクジェット記録ヘッドを用いる場合に於いても、プリンター側に数多くの表示部を設ける必要がなく、コスト的に有利で、且つ必要に応じてホストの情報表示機能（例えばＣＲＴ、ブザー等）を有効に使用することができ、表示内容の充実化を図ることが可能」となるという作用効果を生じるものと認める。
　したがって、本件発明１は、引用例１乃至３に記載された発明に基づいて当業者が容易に発明をすることができたものではない。
　
５−２．本件発明２
　本件発明２には、本件発明１を引用する発明であるから、本件発明１において判断した事項を参酌すれば、本件発明２も引用例１乃至３に記載された発明に基づいて当業者が容易に発明をすることができたものではない。
　
５−３．本件発明３
　本件発明３は、本件発明２を引用する発明であるから、本件発明２において判断した事項を参酌すれば、本件発明３も引用例１乃至３に記載された発明に基づいて当業者が容易に発明をすることができたものではない。
　
５−４．本件発明４
　本件発明４は、本件発明２乃至３を引用する発明であるから、本件発明２乃至３において判断した事項を参酌すれば、本件発明４も引用例１乃至３に記載された発明に基づいて当業者が容易に発明をすることができたものではない。
　
５−５．本件発明５
　本件発明５は、本件発明２乃至３を引用する発明であるから、本件発明２乃至３において判断した事項を参酌すれば、本件発明５も引用例１乃至３に記載された発明に基づいて当業者が容易に発明をすることができたものではない。
　
５−６．本件発明６
　本件発明６は、本件発明１乃至５を引用する発明であるから、本件発明１乃至５において判断した事項を参酌すれば、本件発明６も引用例１乃至３に記載された発明に基づいて当業者が容易に発明をすることができたものではない。
　
５−７．本件発明７
　本件発明７は、本件発明１の状態表示方法をシステムのカテゴリーを用いて記載したものであるが、本件発明１において判断したとおり、引用例１乃至３に記載された発明に基づいて当業者が容易に発明をすることができたものではない。
　
５−８．本件発明８
　本件発明８は、本件発明７を引用する発明であるから、本件発明７において判断した事項を参酌すれば、本件発明８も引用例１乃至３に記載された発明に基づいて当業者が容易に発明をすることができたものではない。
　
５−９．本件発明９
　本件発明９は、本件発明８を引用する発明であるから、本件発明８において判断した事項を参酌すれば、本件発明９も引用例１乃至３に記載された発明に基づいて当業者が容易に発明をすることができたものではない。
　
５−１０．本件発明１０
　本件発明１０は、本件発明８を引用する発明であるから、本件発明８において判断した事項を参酌すれば、本件発明５も引用例１乃至３に記載された発明に基づいて当業者が容易に発明をすることができたものではない。
　
５−１１．本件発明１１
　　本件発明１１は、本件発明８乃至１０を引用する発明であるから、本件発明８乃至１１において判断した事項を参酌すれば、本件発明１２も引用例１乃至３に記載された発明に基づいて当業者が容易に発明をすることができたものではない。
５−１２．本件発明１２
　本件発明１２は、本件発明７乃至１１を引用する発明であるから、本件発明７乃至１１において判断した事項を参酌すれば、本件発明１２も引用例１乃至３に記載された発明に基づいて当業者が容易に発明をすることができたものではない。
　
６．むすび
　以上のとおりであるから、特許異議申立の理由及び証拠によっては、本件発明についての特許を取り消すことはできない。
　また、他に本件発明についての特許を取り消すべき理由を発見しない。
　よって結論のとおり、決定する。
【異議決定日】
平成１４年６月１２日（２００２．６．１２）
【訂正の要旨】
　▲１▼訂正事項ａ
　特許請求の範囲の減縮を目的として、特許請求の範囲の請求項１を以下のように訂正する。
「　【請求項１】　表示部と制御部とからなるホスト装置と、該ホスト装置と信号線により接続されて、前記ホスト装置から前記信号線を介して転送されるデータに基づいてインクを吐出して記録を行う記録装置とにより、記録装置の状態を表示する状態表示方法において、
　前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、
　前記記録装置により、前記ホスト装置から送られた前記要求信号により要求される前記情報の種類を解析する工程と、
　前記記録装置により、前記要求信号を解析した結果に基づいて、前記要求信号により要求される前記情報を、前記信号線を介して前記ホスト装置へ送る工程と、
　前記ホスト装置により、前記記録装置から送られた前記情報を、前記ホスト装置の前記表示部に表示する表示工程と、
から
なり、
　
前記ホスト装置は、前記要求信号を前記記録装置へ送るタイミングに応じて、前記要求信号により要求する情報の種類を異ならせる
　▲２▼訂正事項ｂ
　誤記の訂正を目的として、特許請求の範囲の請求項２を以下のように訂正する。
「　【請求項２】　前記プリント装置は、記録に用いるインクを収容するインクタンク内のインク残量を検出可能に構成され、
　前記ホスト装置は、所定のタイミングにおいて、前記インク残量の情報を要求する信号を前記記録装置へ送るとともに、前記プリント装置から送られた前記インク残量の情報を、前記ホスト装置の前記表示部に表示することを特徴とする
請求項１に記載の
　▲３▼訂正事項ｃ
　特許請求の範囲の請求項６を削除する。
　▲４▼訂正事項ｄ
　請求項６の削除に伴い、整合性を図るべく、特許請求の範囲の請求項７を請求項６に訂正するとともに、以下のように訂正する。
「　【請求項
６
５
　▲５▼訂正事項ｅ
　請求項６の削除に伴い、請求項８を請求項７に訂正するとともに、特許請求の範囲の減縮を目的として以下のように訂正する。
「　【請求項
７
　前記ホスト装置は、所定のタイミングにおいて、前記記録装置の状態に関する情報の転送を要求する要求信号であって、要求する前記情報の種類に対応した要求信号を、前記信号線を介して前記記録装置に対して送る手段と、前記記録装置から前記信号線を介して送られた情報を前記表示部に表示する表示手段とを有し、
　前記記録装置は、前記ホスト装置から送られた前記要求信号により要求される前記情報の種類を解析する手段と、前記要求信号を解析した結果に基づいて、前記要求信号により要求される前記情報を、前記信号線を介して前記ホスト装置へ送る手段とを有し、
　
前記ホスト装置は、前記要求信号を前記記録装置へ送るタイミングに応じて、前記要求信号により要求する情報の種類を異ならせるとともに、
　▲６▼訂正事項ｆ
　訂正事項ｃによる請求項の削除に伴い、整合性を図るべく、請求項９乃至１２を以下の請求項８乃至１１に訂正する。
「　【請求項
８
７
　【請求項
９
８
　【請求項
１０
８
　【請求項
１１
８
１０
　▲７▼訂正事項ｇ
　特許請求の範囲の請求項１３を削除する。
　▲８▼訂正事項ｈ
　訂正事項ｃ、および訂正事項ｇによる請求項の削除に伴い、整合性を図るべく、請求項１４を以下の請求項１２に訂正する。
「　【請求項
１２
７
１１
　▲９▼訂正事項ｉ
　訂正前の請求項１５乃至１８を、以下の請求項１３乃至１６に訂正する。
「　【請求項
１３
　前記プリンタ部と前記ホスト部とに接続され、前記プリンタ部の制御系と前記ホスト部の制御系とにより共有して情報の記憶と参照が可能なメモリを有し、
　前記プリンタ部の制御系は、所定のタイミングにおいて前記メモリの所定のアドレスに前記プリンタ部の情報を記憶させるとともに、前記ホスト部の制御系は、前記メモリの所定のアドレスに記憶された情報を参照して、前記表示手段への表示を行うよう制御することを特徴とするシステム。
　【請求項
１４
　前記インクタンクは、前記記録ヘッドと一体に構成されることを特徴とする請求項
１３
　【請求項
１５
　前記インクタンクは、前記記録ヘッドと分離可能に交換できることを特徴とする請求項
１３
　【請求項
１６
１４
１５
　
▲１０▼
　上記請求項の訂正に従って明細書の段落【０００８】を以下のとおり訂正する。
「　　【０００８】
　【課題を解決するための手段】
　本発明は、前述の目的を達成するためになされたもので、表示部と制御部とからなるホスト装置と、該ホスト装置と信号線により接続されて、前記ホスト装置から前記信号線を介して転送されるデータに基づいてインクを吐出して記録を行う記録装置とにより、記録装置の状態を表示する状態表示方法において、前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、前記記録装置により、前記ホスト装置から送られた前記要求信号により要求される前記情報の種類を解析する工程と、前記記録装置により、前記要求信号を解析した結果に基づいて、前記要求信号により要求される前記情報を、前記信号線を介して前記ホスト装置へ送る工程と、前記ホスト装置により、前記記録装置から送られた前記情報を、前記ホスト装置の前記表示部に表示する表示工程と、から
なり、前記ホスト装置は、前記要求信号を前記記録装置へ送るタイミングに応じて、前記要求信号により要求する情報の種類を異ならせる
前記ホスト装置は、前記要求信号を前記記録装置へ送るタイミングに応じて、前記要求信号により要求する情報の種類を異ならせるとともに、
」
（５４）【発明の名称】
記録装置の状態表示方法、及びシステム
（５７）【特許請求の範囲】
　【請求項１】　表示部と制御部とからなるホスト装置と、該ホスト装置と信号線により接続されて、前記ホスト装置から前記信号線を介して転送されるデータに基づいてインクを吐出して記録を行う記録装置とにより、記録装置の状態を表示する状態表示方法において、
　前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、
　前記記録装置により、前記ホスト装置から送られた前記要求信号により要求される前記情報の種類を解析する工程と、
　前記記録装置により、前記要求信号を解析した結果に基づいて、前記要求信号により要求される前記情報を、前記信号線を介して前記ホスト装置へ送る工程と、
前記ホスト装置により、前記記録装置から送られた前記情報を、前記ホスト装置の前記表示部に表示する表示工程と、
から
なり、
　
前記ホスト装置は、前記要求信号を前記記録装置へ送るタイミングに応じて、前記要求信号により要求する情報の種類を異ならせる
　【請求項２】　前記プリント装置は、記録に用いるインクを収容するインクタンク内のインク残量を検出可能に構成され、
　前記ホスト装置は、所定のタイミングにおいて、前記インク残量の情報を要求する信号を前記記録装置へ送るとともに、前記プリント装置から送られた前記インク残量の情報を、前記ホスト装置の前記表示部に表示することを特徴とする
請求項１に記載の
　【請求項３】　前記プリント装置は、前記インク残量を前記プリント装置内のメモリに記憶するとともに、前記ホスト装置から送られた前記要求信号が前記インク残量の情報を要求する信号であるとき、前記メモリの情報を参照して前記ホスト装置へ送ることを特徴とする請求項２に記載の状態表示方法。
　【請求項４】　前記プリント装置に用いられる前記インクタンクは、インクを吐出する記録ヘッドと一体に構成されることを特徴とする請求項２または３に記載の状態表示方法。
　【請求項５】　前記プリント装置に用いられる前記インクタンクは、インクを吐出する記録ヘッドと分離可能に交換できることを特徴とする請求項２または３に記載の状態表示方法。
　【請求項
６
５
　【請求項
７
　前記ホスト装置は、所定のタイミングにおいて、前記記録装置の状態に関する情報の転送を要求する要求信号であって、要求する前記情報の種類に対応した要求信号を、前記信号線を介して前記記録装置に対して送る手段と、前記記録装置から前記信号線を介して送られた情報を前記表示部に表示する表示手段とを有し、
　前記記録装置は、前記ホスト装置から送られた前記要求信号により要求される前記情報の種類を解析する手段と、前記要求信号を解析した結果に基づいて、前記要求信号により要求される前記情報を、前記信号線を介して前記ホスト装置へ送る手段とを有し、
　
前記ホスト装置は、前記要求信号を前記記録装置へ送るタイミングに応じて、前記要求信号により要求する情報の種類を異ならせるとともに、
　【請求項
８
７
　【請求項
９
８
　【請求項
１０
８
　【請求項
１１
８
１０
　【請求項
１２
７
１１
　【請求項
１３
　前記プリンタ部と前記ホスト部とに接続され、前記プリンタ部の制御系と前記ホスト部の制御系とにより共有して情報の記憶と参照が可能なメモリを有し、
　前記プリンタ部の制御系は、所定のタイミングにおいて前記メモリの所定のアドレスに前記プリンタ部の情報を記憶させるとともに、前記ホスト部の制御系は、前記メモリの所定のアドレスに記憶された情報を参照して、前記表示手段への表示を行うよう制御することを特徴とするシステム。
　【請求項
１４
　前記インクタンクは、前記記録ヘッドと一体に構成されることを特徴とする請求項
１３
　【請求項
１５
　前記インクタンクは、前記記録ヘッドと分離可能に交換できることを特徴とする請求項
１３
　【請求項
１６
１４
１５
【発明の詳細な説明】
　【０００１】
　【産業上の利用分野】
　本発明は交換可能な記録ヘッドと該記録ヘッドにインクを供給する交換可能なインクタンクとを有したインクジェット記録装置に関する。
　【０００２】
　【従来の技術】
　従来インクジェット記録装置は半永久的に使用可能なヘッド（以下ＰＨと称する。）とＰＨにチューブなどのインク供給手段を介して、インクを供給し装置に対してする交換可能なインクカートリッジとで構成されている例が多かった。しかしながら、ＰＨの場合には、ノズル部のゴミ詰まりなどによる偶発的な故障や吐出素子の劣化などによる経時的な故障を皆無にすることが難しく、記録装置自体の信頼性の面で問題があり記録性能の維持のために特別なメンテナンスサービス体制が必要となっていた。そこで信頼性向上の観点から、故障しやすい記録ヘッドを所定の間隔で定期的に交換するようにするとともに、交換の容易性の観点から、記録ヘッドの交換を所定のインク量毎に確実に実施できるようにインクタンクとヘッドとを一体化した交換タイプのヘッドカートリッジ（以下ＤＨと称する。）を用いるインクジェット記録装置も実用化されている。
　【０００３】
　しかしながら、ＤＨは信頼性確保の目的とＤＨカートリッジ自体の大きさ及び重さの観点から使用可能なインク量を大きく設定できないことから、ランニングコストがＰＨに比べて高く、インクを使い切った時点でヘッドの駆動機能は十分である場合でも廃棄しなければならない。近年の世界的な潮流である環境面での問題に影響を及ぼす虞が潜在している。そこで近年信頼性の面ではＤＨの特徴を生かした上でランニングコストの増加や地球環境への配慮をしたヘッドとインクタンクとをそれぞれ独立に交換可能な様に構成した形式のインクジェット記録装置が提案されてきている。
　【０００４】
　また転送情報処理方式において従来は、ホストからプリンターに命令を送るには、プリンターのコマンド体系に従った命令が送れるようプログラムを作成し、プリンタードライバーを介して命令を順次転送する方式が一般的であった。
　【０００５】
　【本発明が解決しようとする課題】
　以上の構成よりなるインクタンク・ヘッド交換型のインクジェット記録ヘッドを用いた記録装置にあっては、前記ＰＨタイプのヘッドやＤＨタイプのヘッドと比較して、インクタンクの交換時期やヘッド部の交換時期、あるいは、タンクのみが交換された場合とヘッドのみが交換された場合の最適吸引回復シーケンスの選択表示等々、適切な表示を必要とする項目が多数存在する為に、表示の為に要する部品点数が多数必要であり、コスト的に大きな負荷となるばかりか、狭い表示可能面積の中に多くの項目を詰め込むために表示が見えにくくなる傾向があった。
　【０００６】
　一方情報処理においては、プリンターに対する所定の命令は、プリンター側の専用のキーを使用して操作を行っていた。またホスト側のキーボード等を利用しては割り込み処理的にプリンターに命令を転送することはできなかった。このような装置では、印字制御や印字モードの多用化にに則してプリンター側に多数の専用キーを設けることで対応することも可能であるが、小型プリンターにおいては、装置の大型化を招くことになり好ましい対処法とはいえない。また、モードの多様化より即時実行したい命令やモード選択があったとしても割り込み処理的に制御やモードを選択することができず、操作性の点でも満足のいくものではなかった。
　【０００７】
　本発明は、前述の課題を解決するために提案されたもので、ホスト側の表示手段やキーボードなどを有効に利用し、ホストとプリンターとの間でデータのみならずコマンドの転送も共通の信号線で行え、操作性を向上させたインクジェット記録装置を提供することを目的とする。
　【０００８】
　【課題を解決するための手段】
　本発明は、前述の目的を達成するためになされたもので、表示部と制御部とからなるホスト装置と、該ホスト装置と信号線により接続されて、前記ホスト装置から前記信号線を介して転送されるデータに基づいてインクを吐出して記録を行う記録装置とにより、記録装置の状態を表示する状態表示方法において、前記ホスト装置より、所定のタイミングにおいて、前記記録装置の状態に関する情報の転送を要求する要求信号であって、要求する前記情報の種類に対応した要求信号を、前記信号線を介して前記記録装置に対して送る工程と、前記記録装置により、前記ホスト装置から送られた前記要求信号により要求される前記情報の種類を解析する工程と、前記記録装置により、前記要求信号を解析した結果に基づいて、前記要求信号により要求される前記情報を、前記信号線を介して前記ホスト装置へ送る工程と、前記ホスト装置により、前記記録装置から送られた前記情報を、前記ホスト装置の前記表示部に表示する表示工程と、から
なり、前記ホスト装置は、前記要求信号を前記記録装置へ送るタイミングに応じて、前記要求信号により要求する情報の種類を異ならせる
前記ホスト装置は、前記要求信号を前記記録装置へ送るタイミングに応じて、前記要求信号により要求する情報の種類を異ならせるとともに、
　【０００９】
　また、本発明は、制御プログラムに応じた処理を行う制御系を備えたプリンタ部と、制御プログラムに応じた処理を行う制御系と表示を行う表示手段とを備えたホスト部とを有するシステムにおいて、前記プリンタ部と前記ホスト部とに接続され、前記プリンタ部の制御系と前記ホスト部の制御系とにより共有して情報の記憶と参照が可能なメモリを有し、前記プリンタ部の制御系は、所定のタイミングにおいて前記メモリの所定のアドレスに前記プリンタ部の情報を記憶させるとともに、前記ホスト部の制御系は、前記メモリの所定のアドレスに記憶された情報を参照して、前記表示手段への表示を行うよう制御することを特徴とする。
　【００１０】
　【作用】
　本発明によれば、ホスト装置側から要求される情報の種類に応じて、記録装置の状態に関する情報を記録装置からホスト装置へ送り、ホスト装置側の表示部に表示することにより、ホスト装置側に設けられるＣＲＴ等の表示部を有効に活用し、記録装置の状態をユーザが容易に確認することができる。
　【００１１】
　また、本発明によれば、プリンタ部とホスト部とが一体となったシステムの構成において、プリンタ部及びホスト部の双方で必要な情報を一つのメモリに記憶することにより、一つのメモリを有効に活用して、プリンタ部とホスト部の双方で情報を有効に共有することが可能となる。
　【００１２】
　【実施例】
　図１は本発明のインクジェット記録装置の記録ヘッド、インクタンク、キャリッジの結合の状態を示す断面図である。本実施例における記録ヘッドは電気信号に応じて膜沸騰をインクに対して生じせしめるための熱エネルギーを生成する電気熱変換体を用いて記録を行うインクジェット方式のものである。図１において記録ヘッド１の主たる構成はすべてヘッドベースプレート５に設けた位置決め用の突起及び切欠きを位置基準としてヘッドベースプレート５上に接着ないしは圧着して積層配置されており、ヒータボード４はＳｉ基板上に複数の列状に配された電気熱変換体（吐出ヒータ）と、これに電力を供給するＡｌ等の電気配線とが成膜技術により形成されてなり、本体装置からの電気信号を受け取るパッドを端部に配した配線を有するヘッドＰＣＢ６に対して、それぞれの配線を対応させてワイヤボンディングにより接続されている。吐出ヒータに対応して複数のインク流路８を各々区分するための隔壁や流路８を介してインクタンク２からインクを導入してインク流路８に供給する共通液室９と複数の吐出口を形成するオリフィスとをポリサルフォン等で一体成型した溝天板１０をヒータボード４に不図示のバネで押圧するとともに封止剤を用いて圧着固定及び封止してインク吐出部を形成している。溝天板１０に結合封止された流路８は、インクタンク２と結合可能とするために本実施例においてはヘッドＰＣＢ６及びヘッドベースプレート５に設けた穴を通ってヘッドベースプレート５の反対側へ貫通させるとともに、貫通部でヘッドベースプレート５に接着固定されている。また、流路８のインクタンク２と結合する側の端部には吐出部へのゴミや不如意の気泡などの流入を防止するためのフィルタ１１が設けてある。また、記録ヘッド１の吐出部や電気接続用のパッドを保護することと、記録ヘッド１の取り扱い面から持ちやすくする為にヘッドカバー１２を設けている。
　【００１３】
　交換用インクタンク２は内面にリブ２ａを有するタンクケース２Ａ内に、インクを含浸させたインク吸収体２ｂをほぼ隙間なく詰め込むとともに、記録ヘッド１のインクのフィルタを設けた流路端を挿入させてインク結合を行うためのインク供給部（孔）２ｃとインクタンク２からのインクの流出に見合うだけの大気をインクタンク内に導入して過度の負圧発生を防止するための大気連通部（孔）２ｄとを有する。供給部へのタンクケース内壁を伝っての直接の大気連通を防止して、インク吸収体全領域のインクを毛管力を用いて最大限有効に利用するために、タンク内壁にリブ２ａを設けるとともに大気連通部２ｄをなるべくインク供給部２ｃから離して設置している。リブ２ａは同時にタンクケース２Ａの補強部としても機能し、タンク交換時の操作性を向上させてもいる。インク吸収体内の初期の含浸インク量は、記録ヘッド１との結合時に吐出口のメニスカスに負の水頭圧を付与して安定した吐出を可能にするための機能上の目的と、インクタンク交換時に多少の衝撃が与えられてもインクが漏出することがないようにするための操作性上の目的のために、インク吸収体２ｂの吸収可能量よりも少なめのインクを充填している。大気連通部２ｄのインク吸収体を溌液処理するか別体の溌液性の吸収体を用いて構成し大気連通部２ｄからのインクの漏出を規制しても良い。
　【００１４】
　インクのインクタンク２のインク供給限界は、インク吸収体２ｂの含浸インク量が非常に少なくなって、インク吐出に伴うノズルの毛管力による記録ヘッド１へのインク供給能力よりもインク吸収体２ｂのインク吸引力が強くなるかフィルタ１１の周囲に大気連通部２ｄから導入された大気が多くなってフィルタ１１を介してインク吸収体内の大気が多量に供給される様になった場合である。
　【００１５】
　ここで、記録装置における記録ヘッドの配置および動作を説明するために図４を用いて簡略に記録装置の動作を説明する。図４で、記録媒体Ｓをプラテンローラ５０００を用いて紙面下方から上方へ案内し、紙押さえ板５００２でキャリッジ移動方向にわたってプラテン５０００に対して押圧する。キャリッジＨＣは、キャリッジ駆動ピンをそのらせん溝５００４にはめ込んでそれ自身が回転することで駆動源として動作するリードスクリュー５００５とリードスクリューに平行に配置されたスライダ５００３とに支持係合されてプラテンローラ５０００上に案内された記録媒体Ｓの記録面に沿って左右に往復動する。リードスクリュー５００５は駆動伝達ギア５０１１、５００９を介して駆動モータの正逆回転に連動して回転駆動制御される。５００７、５００８はフォトカプラでキャリッジのレバー５００６のこの域での存在を確認してモータ５０１３の回転方向切換等を行うためのホームポジション検知手段である。画像記録信号は記録ヘッドを搭載するキャリッジの移動にタイミングを計って記録ヘッドに送られ所定の位置でインク滴を吐出させて記録を行う。５０１６は記録ヘッドの前面をキャップするキャップ部材５０２２を支持する部材で、５０１５はこのキャップ内を吸引する吸引手段でキャップ内開口５０２３を介して記録ヘッドの吸引回復を行う。５０１７はクリーニングブレードで、５０１９はこのブレードを前後方向に移動可能にする部材であり、本体支持板５０１８にこれらは支持されている。吸引手段、ブレード等は、この形態でなくとも良く、周知のものが適用可能なことはいうまでもない。また、５０１２は、吸引回復動作のタイミングを決めるためのレバーで、キャリッジと係合するカム５０２０の移動に伴って移動し、駆動モータからの駆動力がクラッチ切換等の公知の伝達手段で移動制御される。これらの回復手段はキャリッジがホームポジション側領域にきたときにリードスクリュー５００５の作用によってそれらの対応位置で所望の処理が所定のタイミングで行える様に構成されている。上述のキャリッジＨＣへの記録ヘッドの機械的、電気的接続は以下の様に行われる。
　【００１６】
　キャリッジＨＣは、プラテン側（ヘッドの前面側）に位置する前板と、記録ヘッドのＰＣＢ上のパッド６ａに対応するヘッド駆動電極１６ａを具備したフレキシブルシート及びこれを裏面側から押圧する弾性力を発生させるためのゴムパッドを保持する電気接続部用支持板１６と、記録ヘッド１を機械的に固定する際のヘッド位置決め部１４と、インクタンク２及び記録ヘッド１を矢印Ａ方向に付勢支持するための加圧フック１３とが設けられている。前板は位置決め用基準面を、記録ヘッド１のヘッドベースプレート５に設けた前述の位置決め用の突起及び切欠きに各々対応して２個有する。キャリッジ３の加圧フック１３は図１の加圧方向、すなわちキャリッジ３の移動方向に対して約１０度傾いた方向に付勢力が発生する様に構成しているので、その付勢力によって記録ヘッド１は前板方向と電気接続用支持板１６との２方向に押しつけられる。同時に、電気接続用支持板１６を支点としてヘッド位置決め部１４ではキャリッジ３の移動方向にも付勢される。この加圧フック１３の加圧係合動作はどのようなものでも良いが、キャリッジ３の上面側から操作できるレバー等で行える構成が好ましい。いずれにしてもこの加圧フック１３の係合時に記録ヘッド１及び交換用インクタンク２はキャリッジＨＣ上でやや回転しつつ位置決め用突起及び切欠きが前板の基準面に接触した上で電気的接続がなされることになるのでヘッドＰＣＢ上のパッド６ａとヘッド駆動電極１６ａとの位置決めも確実に行われる。
　【００１７】
　記録ヘッド１とインクタンク２との結合は図２に示す様に、記録ヘッド１のヘッドベースプレート５に一端を固定（不図示）したタンクバンドを交換インクタンク２のインク結合部近傍の外壁を沿わせてタンクバンド他端に設けたタンクバンドバネの終端に設けたリング状のタンクバンドフックをヘッドベースプレート５に設けたバンド用突起に付勢しながら引っ掛けることによりタンクバンドバネによる付勢力により一体化される。更に、詳しく説明すると、交換インクタンク２の結合は図３に示すようにキャリッジ外で行うことができ、まず、ヘッドベースプレート５のタンクガイド穴１５に、交換インクタンク２のタンクガイド２０をはめ込むことから始める。この係合部の位置をキャリッジ３の加圧フック１３の作用点に対して近接配置するとともに、インク供給部２ｃを加圧フック１３の作用点から可能な限り離間させて配置することで、キャリッジ３を装着した場合の加圧力のインク供給部２ｃでの分力を小さくすることが可能となり、インク供給路の確実な結合が可能となる。すなわち、図２で明らかなように、記録ヘッド１と交換インクタンク２の結合に関して考えると、力点である加圧フック１３による交換インクタンク２への加圧力が図中時計回りの方向に交換インクタンク２を回転させる際に、タンクガイド２０の係合部を支点としてインク供給部２ｃが作用点となるので、インク結合部では結合を阻害する力が発生する。インク供給部２ｃではタンクバンドによる結合力によって、インク吸収体２ｂとフィルタ１１とが圧接結合することでインク供給路の接続を行うとともに、ヘッドベースプレート５と交換インクタンク外壁面とに挟まれた弾性体のリングシール１９が加圧変形して密着することによりインク供給部２ｃにおいてインクタンク内部と大気との連通を完全に封止している。この封止が不十分であると、記録ヘッド１へのインク供給に伴うインクタンク内部への大気の導入がインク吸収体２ｂを介さずにこの部分で直接行われてしまうので、インク吸収体２ｂに含浸させたインクの有効利用が困難となる。
　【００１８】
　しかしながら、本発明ではインク結合部におけるタンクバンドバネによる結合力を加圧フック１３の作用力よりも大きくしているので、キャリッジ３への装着時でも確実なインク結合が行える。
　【００１９】
　加圧フック１３は、前述のごとく記録ヘッド１をキャリッジ３に対して紙面方向への位置決めを行うために、その加圧方向が１０度傾斜した方向に設定しているが、ヘッドベースプレート５に加圧フック１３を引っ掛ける様にするにはヘッドベースプレート５の形状が複雑化するので本発明の様に精度的には比較的許容度の高い交換インクタンク２に引っ掛ける様に構成したほうが簡易である。また、同時に記録ヘッド１と交換インクタンク２との結合を考えた場合にも結合方向の直交方向への力が加わるが、本実施例では図１に示すように、タンクガイド２０とタンクガイド穴１５との係合によってその方向の力を受けるようにしている。すなわち、タンクガイド２０がタンクガイド穴１５の紙面方向の内壁に接合し、その力を受けてヘッド位置決め部１４において記録ヘッド１がキャリッジ３と位置決めされて結合される。本実施例では記録ヘッド１において特に高精度が要求される吐出部に直接結合している流路８への余分な機械的な力の作用を防止するために、交換インクタンク２のインクタンク供給部２ｃにおける流路８のガタをタンクガイド穴１５におけるタンクガイド２０のガタより大きく設定しており、インクタンク２の結合方向と直交方向の力を全てタンクガイド２０の結合部で受けるようにしている。本実施例におけるタンクガイド２０の結合部は、さらに、ヘッドベースプレート５の面上での交換インクタンク２の回転を防止する機能も付与されており、その作用面でのガタの関係も同様に流路８への余分な力の作用がないように配慮されている。
　【００２０】
　リングシール１９はインク供給部２ｃのガタを許容できるように交換インクタンク外壁との接合部を広めに取れるように、本実施例ではやや太い弾性体リングで構成している。
　【００２１】
　なお、本実施例においてインクタンクの形態としては、図１１、図１２に示されるようなインク吸収体を取り去り、タンク全体にインクを収容した構成のものも適用できる。
　【００２２】
　図１１のインク容器は、一端面が底板１０４により閉鎖された円筒状の外筒１０１の他端面の開口部がゴム、軟質のプラスチック等の可撓性材料からなる可撓性部材１０２で閉鎖され、底板１０４には非使用時には閉塞手段であるボール栓１０３で閉塞されたインク取り出し用の排出口１０５が形成されたものであり、その内部にはインク１０６が収容されている。
　【００２３】
　前記可撓性部材１０２は、その周縁部が外筒１０１の開口部の端面に固定され、前記周縁部近傍から外筒１０１の内壁にそって折り曲げられて外筒１０１の長手方向に延びる外壁部１０２ａと外筒１０１のほぼ中央部で逆方向に折れ曲がった屈曲部１０２ｂ、この屈曲部１０２ｂから前記外壁部１０２ａに沿って外筒１０１の開口部近傍まで延びる内壁部２ｃ及び内壁部２ｃに続く円板状の底壁部１０２ｄを有する。図１１は模式的な図面であり、屈曲部１０２ｂは図のような形状だけでなく材質の特性によってふくらみを有するような比較的大きな曲率で屈曲している形態も当然含むものである。
　【００２４】
　また、図１２のインク容器１２１は、その底壁１２１ａ上にスポンジ等に代表される多孔質体１２３が配設されており、多孔質体１２３の部分以外は５枚の仕切り板１２２ａ〜１２２ｅによって６個の室に区分されている。この容器の材料を内部が確認可能な材質とすることができ、この場合にはインクの残量を目視で知ることができる。また、容器本体１２１の後面壁１２１ｃには管状に形成された大気連通孔１２４が室のほぼ中央部位に突出して設けられている。このように構成された大気連通孔１２４の室にインクが溜った場合でも室の容積の半分までのインクであればインク容器の姿勢にかかわらず漏れ出すことはない。
　【００２５】
　次に情報処理方式について図面を参照して具体的に説明する。
　【００２６】
　図５はプリンターとホストの各部材を駆動させるための制御系、及びプリンターとホストの送受信系のブロック図である。図５に示すようにプリンターの制御系は、例えばマイクロプロセッサー等のＣＰＵ５１０１、該ＣＰＵ５１０１の制御プログラムや各種データを格納しているＲＯＭ５１０３、ＣＰＵ５１０１のワークエリアとして使用されるとともに各種データの一時保管を行うＲＡＭ５１０２、及びヘッドの交換時期など電源ＯＦＦ後も各種ヘッド情報を記憶しておく為のＥＥＰＲＯＭ５１０４等を備えた制御部５１００、インターフェイス５２００、各モーター類を駆動するためのモータードライバー５４００、記録ヘッド駆動用のドライバー５３００よりなる。一方ホスト側の制御系は、例えばマイクロプロセッサー等のＣＰＵ５５０１、該ＣＰＵ５５０１の制御プログラムや各種データを格納しているＲＯＭ５５０３、及びＣＰＵ５５０１のワークエリアとして使用されるとともに各種データの一時保管を行うＲＡＭ５５０２、等を備えた制御部５５００、インターフェイス５６００、記憶媒体を駆動するためのディスクドライバー５８００、ＣＲＴ駆動用のドライバー５７００よりなる。また、プリンターとホストを接続するための信号系は、ホストからの命令を受信する受信信号線ａ、プリンターからの情報を送信する送信信号線ｂ，及びグランド線ｃ、以上３本の信号線を有している。
　【００２７】
　ここで受信信号線ａを用いてホスト側より送られてくる信号は、［イミディエイトコマンド］と［デバイスコマンド］の２種類である。［イミディエイトコマンド］とは命令を受け取ると同時に即時実行されるコマンドで、リセット信号やエラー状態のホスト側へリターン命令などである（但し、ホスト側へのリターン信号は送信信号線ｂにより送信される。）。一方［デバイスコマンド］とは画像信号コマンドでイメージデータなどの転送が行われる。本実施例では、送られてきたコマンドの上位３バイトを解析し、上位３バイトが［＆ＨＦＦ］で有った場合には以下のコマンドは［イミディエイトコマンド］であると判断し即時実行されるよう割り込み処理がなされるように構成されている。
　【００２８】
　次にイミディエイトコマンドのデータ転送の説明を図７に示す。本実施例の要部であるヘッドの状況等を表示する必要のある情報は、ホストＨ側から要求信号７１ａが，イミディエイトコマンドとして受信信号線ａよりプリンターＰ側に要求されると、プリンターＰ側は該信号を解析した後、応答信号７１ｂを要求された情報として送信信号線ｂに載せて即時送信ホストＨ側へ送信する。ホストＨ側は必要に応じてＣＲＴに表示を行うか、ブザー等でユーザーに情報を知らせるよう制御する。
　【００２９】
　本実施例においてホスト側から転送を要求される項目、及びイミディエイトコマンドは以下の通りである。
　【００３０】
　要求項目　イミディエイトコマンド
１．タンクの交換時期（インク残量）　［ＦＦ，ＦＦ，ＦＦ，０１］
２．チップの交換時期　［ＦＦ，ＦＦ，ＦＦ，０２］
３．吸引された排インク容量　［ＦＦ，ＦＦ，ＦＦ，０３］
４．現在選択されているＦＯＮＴ　［ＦＦ，ＦＦ，ＦＦ，０４］
５．現在選択されている記録スピードモード　［ＦＦ，ＦＦ，ＦＦ，０５］
６．吸引中表示　［ＦＦ，ＦＦ，ＦＦ，０６］
７．エージング処理表示　［ＦＦ，ＦＦ，ＦＦ，０７］
８．吸引の指示　［ＦＦ，ＦＦ，ＦＦ，０８］
　【００３１】
　以下に要求項目の内容の概略を述べる。
　【００３２】
　１は、上記ＥＥＰＲＯＭ５１０４に記憶されているインク残量のデータを参照しホストに該データを転送するものである。（但し、ＥＥＰＲＯＭ５１０４にはタンクが交換されてから記録を行ったドット数と吸引により排出されたインク量のデータが常に更新されながら蓄えられている。）
２は、チップの寿命があとどの程度残っているかのデータを転送するものである。チップ交換後の使用率は上記同様ＥＥＰＲＯＭ５１０４に格納されている。
　【００３３】
　３は、吸引回復動作により排出されたインクの総量を転送するものである。本実施例では排インクを一時保管しておく吸収体は交換部品であるので交換時期を知らせるデータである。
　【００３４】
　４は、プリンター側で現在選択されているＦＯＮＴの種類を転送するものである。現状ではプリンターは１０種類以上のＦＯＮＴを標準で持つ機種も増えてきており、明確な選択ＦＯＮＴの表示は重要な要素である。
　【００３５】
　５は、プリンター側で現在選択されている印字モードの種類を転送するものである。
　【００３６】
　６は、プリンターが吸引回復動作中である状態を転送するものである。吸引回復動作中は印字命令を受信しても印字動作に移行しない。よって明確な表示がない場合故障と誤った理解をされる場合もあり、印字に移らない理由を明確に表示することの意義は大きい。
　【００３７】
　７は、本実施例で使用するチップ部材はイニシャル時吐出の安定性を確実にする為に各ノズル５万発の予備吐出（エージング処理）を行う。本コマンドは該エージング処理中である状態を転送するものである。
　【００３８】
　８は、現在記録ヘッドが吸引回復処理が必要な状態であるかどうかの情報を転送する。例えば記録ヘッドは高いｄｕｔｙの印字を連続的に行われると記録ヘッド内部に気泡が残存し吐出が不安定になる可能性がある。吐出が不安定になる可能性が生じたと同時に自動吸引動作を行ってしまう手段もあるがヘッド間バラツキに応じて吸引回復動作が不要であるヘッドにおいても強制的に吸引動作が行われてしまいランニングコストを向上させてしまう。よって吸引動作を行うかどうかはユーザーの判断に委ね、装置としてはそろそろ吸引回復動作を行った方が無難である旨の表示を明確に行うことの意義は大きい。
　【００３９】
　次に、上記要求項目が要求されるタイミングについて以下に具体的に説明する。
　【００４０】
　＜タイミング１；電源ＯＮ時＞
　本体の電源がＯＮされたタイミングでホストは上記要求項目の１〜８までのデータをプリンタ側に要求する。
　【００４１】
　＜タイミング２；給紙直後＞
　記録媒体が給紙されたタイミングでホストは上記要求項目の１、２、４、５、８のデータをプリンター側へ要求する。
　【００４２】
　＜タイミング３；チップ交換時＞
　吸引回復動作が行われたタイミングでホストは上記要求項目の３、６のデータをプリンター側へ要求する。
　【００４３】
　＜タイミング４；チップ交換時＞
　記録ヘッドチップが交換されたタイミングでホストは上記要求項目の７、８のデータをプリンター側へ要求する。
　【００４４】
　＜タイミング５；タンク交換時＞
　インクタンクが交換されたタイミングでホストは上記要求項目の８のデータをプリンター側は要求する。
本実施例においては以上のタイミングで必要情報の送受信が行われる。
　【００４５】
　次に、受信データのホスト側での処理について具体的に説明する。
　【００４６】
　本実施例に於いてはホストは受信データを受信後一定時間（１０秒間）受信内容をホストのＣＲＴ上に表示するよう制御を行う。よって、上記タイミングで確実に、プリンターの情報がユーザーに伝達されるよう制御が行われる。
　【００４７】
　尚、本実施例では一定の規則に基づいてホスト側がプリンター側に必要データの送信命令を行ったが、ホスト側の命令がなくとも一定の規則に基づいてプリンター側が定められたデータを割り込みデータとして規則的に送信する方式であっても良い。
　【００４８】
　また、受信データのホスト側での処理方法は、常に表示し続ける方式でもよく、或いはデータは蓄えておくだけでユーザーの指示があるまで自動的に表示されることはないような制御であっても良い。
　【００４９】
　本実施例で取り上げたデータ（要求項目）や要求タイミングは一例であり、本発明を拘束するものではない。
　【００５０】
　次にホスト側よりデバイスコマンドが送られる例を図９に示す。ホストＨ側のキーボードより入力されたデバイスコマンドのデータ信号９１ａは、プリンターＨ側のバッファが一杯のとき、プリンターＰ側より応答（ｂｕｓｙ）信号９１ｂがホストＨ側に転送される。ホストＨ側は該応答（ｂｕｓｙ）信号９１ｂを受けると、即時データ信号９１ａを再送する。そのときバッファのデータがＲＯＭに格納されていれば、該データ信号９１ａは、バッファに格納され、解析後、実行（プリント）される。
　【００５１】
　また、ホスト側のキーボード等を通して印字制御や印字モードの選択を始めとした各種プリンターの制御をキーボード上のキーに設定しておき、該設定キーが選択された場合には割り込み処理的に命令が転送され即時実行される例を図８に示す。各種プリンターＰの制御情報がキーボード入力ＩによりホストＨから命令信号８１ａとして受信信号線ａに載ってプリンターＰに送信されると、プリンターＰは該信号の解析後、該制御命令を実行し、その結果を応答信号８１ｂとして送信信合線ｂに載せて即時送信ホストＨへ送信する。ホストＨは必要に応じてＣＲＴに表示を行うか、ブザー等でユーザーに情報を知らせるように制御する。
　【００５２】
　以上のように制御を行うことにより、ヘッドの状況を明示する必要のある項目が多数存在するインクタンク・ヘッド交換型のインクジェット記録ヘッドを用いる場合においても、プリンター側に数多くの表示部を設ける必要がなく、コスト的に有利で、且つ必要に応じてホストのＣＲＴを有効に使用することができ表示内容の充実化を図ることが可能となる。
　【００５３】
　（他の実施例）
　次にプリンター部とホスト部が一体構成となったシステムにおける他の実施例について説明する。
　【００５４】
　本実施例はプリンター部とホスト部を一体構成とすることでプリンターとホスト間で情報の交換を行うプロトコルを省き、互いが参照できる共通の記憶手段を設けることで前記実施例における情報通信手段を代用しようとするものである。
　【００５５】
　以下本実施例において各部材を駆動させるための制御系について説明する。
　【００５６】
　図６は本実施例において、プリンター部とホスト部の各部材を駆動させるための制御系のブロック図である。図６に示すようにプリンター部の制御系は、例えばマイクロプロセッサー等のＣＰＵ５１０１、該ＣＰＵ５１０１の制御プログラムや各種データを格納しているＲＯＭ５１０３、ＣＰＵ５１０１のワークエリアとして使用されるとともに各種データの一時保管を行うＲＡＭ５１０２を備えた制御部５１００、インターフェイス５２００、各モーター類を駆動するためのモータードライバー５４００、記録ヘッド駆動用のドライバー５３００よりなる。一方ホスト部の制御系は、例えばマイクロプロセッサー等のＣＰＵ５５０１、該ＣＰＵ５５０１の制御プログラムや各種データを格納しているＲＯＭ５５０３、及びＣＰＵ５５０１のワークエリアとして使用されるとともに各種データの一時保管を行うＲＡＭ５５０２、等を備えた制御部５５００、インターフェイス５６００、記憶媒体を駆動するためのディスクドライバー５８００、ＣＲＴ駆動用のドライバー５７００よりなる。また、プリンターの制御部からも、ホストの制御部からも参照でき、ヘッドの交換時期など電源ＯＦＦ後も各種ヘッド情報を記憶しておくことができるＥＥＰＲＯＭ５１０４を加えて制御系は構成されている。
　【００５７】
　図１０はＥＥＰＲＯＭ５１０４のメモリマップを示す。
　【００５８】
　本実施例において、ホスト部が参照することを必要としているプリンター部の情報は、前記実施例同様以下の８項目である。
　【００５９】
１．タンクの交換時期（インク残量）
２．チップの交換時期
３．吸引された排インク容量
４．現在選択されているＦＯＮＴ
５．現在選択されている記録スピードモード
６．吸引中表示
７．エージング処理表示
８．吸引の指示
　【００６０】
　ホスト部及びプリンター部の双方から参照可能で且つ電源ＯＦＦ後も情報を蓄えておける前記書換可能記憶素子であるＥＥＰＲＯＭ５１０４には、前記８項目の情報を蓄えておく専用のデータ記憶アドレス（１００１ａ〜１００８ａ）が各項日毎に予め割り振られている。プリンター部は後述する予め定められたタイミングでＥＥＰＲＯＭ５１０４の指定アドレスに前記各プリンター情報の更新を行う。そして、プリンター部は情報を更新するとメッセージアドレスに更新したことを示すデータを書き込む。またプリンターの情報は要求コマンドアドレス（１００１ｂ〜１００８ｂ）に書き込まれ、更にその情報はデータ記憶アドレス（１００１ａ〜１００８ａ）に蓄積される。
　【００６１】
　一方ホスト部は一定周期でメッセージアドレスに書き込まれた前記データを見て、情報が更新されたことを確認すると、ＥＥＰＲＯＭ５１０４を参照し必要なプリンター情報を引き出し、情報の処理（ＣＲＴへの表示等）を行う。
　【００６２】
　また、プリンター部が各情報を更新するタイミングは前記実施例と同様とする。
　【００６３】
　プリンター部とホスト部が一体構成であり、且つ双方で参照することができる記憶手段を有する以外の構成及び作用は前記実施例と同様であるので説明は省略する。
　【００６４】
　インクジェット記録方式においてその代表的な構成や原理については、例えば、米国特許第４７２３１２９号明細書、同第４７４０７９６号明細書に開示されており、本発明はこれらの基本的な原理を用いて行なうものが好ましい。この記録方式は所謂オンデマンド型、コンティニュアス型のいずれにも適用可能である。
　【００６５】
　この記録方式を簡単に説明すると、液体（インク）が保持されているシートや液路に対応して配置されている吐出エネルギ発生手段である電気熱変換体に、記録情報に対応して液体（インク）に核沸騰現象を越え、膜沸騰現象を生じる様な急速な温度上昇を与えるための少なくとも一つの駆動信号を印加することによって、熱エネルギーを発生せしめ、記録ヘッドの熱作用面に膜沸騰を生じさせる。この様に液体（インク）から電気熱変換体に付与する駆動信号に一対一対応した気泡を形成出来るため、特にオンデマンド型の記録法には有効である。この気泡の成長、収縮により吐出孔を介して液体（インク）を吐出させて、少なくとも一つの滴を形成する。この駆動信号をパルス形状とすると、即時適切に気泡の成長収縮が行なわれるので、特に応答性に優れた液体（インク）の吐出が達成でき、より好ましい。このパルス形状の駆動信号としては、米国特許第４４６３３５９号明細書、同第４３４５２６２号明細書に記載されているようなものが適している。なお、上記熱作用面の温度上昇率に関する発明の米国特許第４３１３１２４号明細書に記載されている条件を採用すると、更に優れた記録を行なうことができる。
　【００６６】
　記録ヘッドの構成としては、上述の各明細書に開示されているような吐出孔、液流路、電気熱変換体を組み合わせた構成（直線状液流路又は直角液流路）の他に、米国特許第４５５８３３３号明細書、米国特許第４４５９６００号明細書に開示されている様に、熱作用部が屈曲する領域に配置された構成を持つものにも本発明は有効である。
　【００６７】
　加えて、複数の電気熱変換体に対して、共通するスリットを電気熱変換体の吐出孔とする構成を開示する特開昭５９年第１２３６７０号公報や熱エネルギーの圧力波を吸収する開孔を吐出部に対応させる構成を開示する特開昭５９年第１３８４６１号公報に基づいた構成を有するものにおいても本発明は有効である。
　【００６８】
　さらに、本発明が有効に利用される記録ヘッドとしては、記録装置が記録可能である記録媒体の最大幅に対応した長さのフルラインタイプの記録ヘッドがある。このフルラインヘッドは、上述した明細書に開示されているような記録ヘッドを複数組み合わせることによってフルライン構成にしたものや、一体的に形成された一個のフルライン記録ヘッドであっても良い。
　【００６９】
　加えて、装置本体に装着されることで、装置本体との電気的な接続や装置本体からのインクの供給が可能になる交換自在のチップタイプの記録ヘッド、あるいは記録ヘッド自体に一体的に設けられたカートリッジタイプの記録ヘッドを用いた場合にも本発明は有効である。
　【００７０】
　また、本発明のインク容器を使用した記録装置に、記録ヘッドに対する回復手段や予備的な補助手段を付加することは、記録装置を一層安定にすることができるので好ましいものである。これらを具体的に挙げれば、記録ヘッドに対しての、キャッピング手段、クリーニング手段、加圧或は吸引手段、電気熱変換体或はこれとは別の加熱素子、或はこれらの組み合わせによる予備加熱手段、記録とは別の吐出を行なう予備吐出モードを行なう手段を付加することも安定した記録を行なうために有効である。
　【００７１】
　さらに、記録装置の記録モードとしては黒色等の主流色のみを記録するモードだけではなく、記録ヘッドを一体的に構成したものか、複数個の組み合わせで構成したものかのいずれでも良いが、異なる色の複色カラーまたは、混色によるフルカラーの少なくとも一つを備えた装置にも本発明は極めて有効である。
　【００７２】
　本発明において、上述した各インクに対して最も有効なものは、上述した膜沸騰方式を実行するものである。
　【００７３】
　さらに加えて、本発明インクジェット記録装置の形態としては、コンピュータ等の情報処理機器の画像出力端末として用いられるものの他、リーダ等と組み合わせた複写装置、さらには送受信機能を有するファクシミリ装置の形態を採るものであってもよい。
　【００７４】
　【発明の効果】
　本発明は前述のごとく、ホスト装置側から要求される情報の種類に応じて、記録装置の状態に関する情報を記録装置からホスト装置へ送り、ホスト装置側の表示部に表示する構成としたことにより、プリンタ側に数多くの表示部を設ける必要がなく、コスト的に有利で、且つ必要に応じてホストの情報表示機能（例えばＣＲＴ、ブザー等）を有効に使用することができ、表示内容の充実化を図ることができる。また、プリンタ部とホスト部とが一体となったシステムの構成において、一つのメモリを有効に活用して、プリンタ部とホスト部の双方で情報を有効に共有することができる。
【図面の簡単な説明】
　【図１】
　本発明の第１実施例の交換可能な記録ヘッド及び交換インクタンクの本体への装着状態を表す断面図。
　【図２】
　第１実施例の結合状態を説明する上面図。
　【図３】
　第１実施例のタンク交換手順を説明する断面図。
　【図４】
　本発明の適用可能なインクジェット記録装置の例。
　【図５】
　ホスト、プリンターの制御系のブロック図。
　【図６】
　ホスト、プリンター一体構成の装置の制御系のブロック図。
　【図７】
　イミディエイトコマンドのデータ転送における説明図。
　【図８】
　制御命令のデータ転送における説明図。
　【図９】
　デバイスコマンドのデータ転送における説明図。
　【図１０】
　記憶素子のエリアマップ。
　【図１１】
　インク吸収体を持たないインクタンクの例を示す断面図。
　【図１２】
　インク吸収体を持たないインクタンクの例を示す断面図。
　【符号の説明】
　１　記録ヘッド
　２　交換インクタンク
　３　キャリッジ
　７１ａ　要求信号
　７１ｂ　応答信号
　８１ａ　命令信号
　８１ｂ　応答信号
　９１ａ　データ信号
　９１ｂ　応答（ｂｕｓｙ）信号